(57)【要約】      （修正有）【課題】移動・設置・収納が容易であり、かつ公共施設の美観を損ねることのない天井漏水回収具を提供する。【解決手段】天井からの漏水を受けるロート状の漏水受部１と、漏水受部を保持し、伸縮自在であって、漏水を漏水受部から基部に導く中空の中間部２と、中間部を支持するとともに漏水を受ける基部３とを備えた天井漏水回収具である。ロート状の漏水受部１は、傘のように開閉自在であり、中心部には、天井に当接する突っ張り部４が設けられている。【選択図】図１
0003205243.tif 000002
【実用新案登録請求の範囲】
【請求項１】
天井からの漏水を受けるロート状の漏水受部と、該漏水受部を保持し、漏水を漏水受部から基部に導く中空の中間部と、該中間部を支持するとともに該漏水を受ける基部とを備えた天井漏水回収具。
【請求項２】
上記ロート状の漏水受部は、開閉自在であることを特徴とする請求項１に記載の天井漏水回収具。
【請求項３】
上記ロート状の漏水受部には、天井に当接する突っ張り部が設けられていることを特徴とする請求項１又は請求項２に記載の天井漏水回収具。
【請求項４】
上記中間部は、伸縮自在であることを特徴とする請求項１ないし請求項３のいずれか１項に記載の天井漏水回収具。
【請求項５】
上記中間部は、基部に接続する第１の中空管と、上記ロート状の漏水受部に接続し第１の中空管に収納される第２の中空管から構成され伸縮自在となっていることを特徴とする請求項１ないし請求項３のいずれか１項に記載の天井漏水回収具。
【請求項６】
上記中間部には、上記第１の中空管と上記第２の中空管とを所望の位置で固定する繋止機構が設けられていることを特徴とする請求項５に記載の天井漏水回収具。
【請求項７】
上記第２の中空管は、上記ロート状の漏水受部内まで延在し、上記突っ張り部を支持するとともに、その延在部には漏水を上記第２の中空管内に導く孔を有することを特徴とする請求項５又は請求項６に記載の天井漏水回収具。
【請求項８】
上記基部には、天井漏水を貯蔵するタンクが設けられていることを特徴とする請求項１ないし請求項７のいずれか１項に記載の天井漏水回収具。
【請求項９】
上記基部には、天井漏水を基部外に排出する排水口が設けられていることを特徴とする請求項１ないし請求項７のいずれか１項に記載の天井漏水回収具。
【請求項１０】
天井からの漏水を受けるとともに開閉自在なロート状の漏水受部と、該漏水受部を保持し、漏水を該漏水受部から基部に導く中空の中間部と、該中間部を支持するとともに該漏水を貯蔵する基部とを備えた天井漏水回収具であって、該ロート状の漏水受部及び該中間部は、不使用時には、該基部内に収納可能であることを特徴とする天井漏水回収具。
【請求項１１】
天井からの漏水を受けるロート状の漏水受部と、該漏水受部を保持し、漏水を漏水受部から基部に導く中空の中間部と、該中間部を支持するとともに該漏水を貯蔵する基部とを備えた天井漏水回収具であって、該ロート状の漏水受部及び該中間部の周囲にカバーを巻き付けることによりサインポールとしても活用することを特徴とする天井漏水回収具。
【考案の詳細な説明】
【技術分野】
【０００１】
本考案は、地下鉄駅構内等の天井からの漏水を回収することができる天井漏水回収具に関する。
【背景技術】
【０００２】
地下鉄駅構内等の天井からの漏水対策として、簡易的には、ビニールシート等で漏水部分を覆う手法が採られている。
しかしこの手法では、漏水がビニールシート等の端から床に流れ落ちたり、ビニールシート等で覆うこと自体が地下鉄駅構内等の公共施設の美観を損ねる不都合があった。
【０００３】
このため、これを改善した、例えば、天井からの漏水を集める集水部材に排水部材がロート状に接合されており、更に集水部材の周縁に取付部材が設けられているような天井漏水回収具が提案されている。（特許文献１参照）
【０００４】
この天井漏水回収具は、漏水箇所に取付部材を粘着テープ、両面テープ、若しくはピン等の取付金具等を用いて直接取り付けたり、または天井から垂下させたフック等に引っかけたりして使用する。
また、この天井漏水回収具は、ロート状に構成されているため、集水部材上に滴下した漏水は集水部材内側を伝わり排水口へと達し、更に排水部材を伝わって、バケツ等の容器や既存の排水路等に漏水を排除するものである。
【先行技術文献】
【特許文献】
【０００５】
【特許文献１】実用新案登録第２６０１７５２号公報
【考案の概要】
【考案が解決しようとする課題】
【０００６】
これまで提案された天井漏水回収具では、次のような不都合があった。
（１）漏水箇所に取付部材を粘着テープ、両面テープ、若しくはピン等の取付金具等を用いて直接取り付けたり、天井から垂下させたフック等に引っかけたりして使用しているため、天井漏水回収具の移動が容易でない。
（２）使用済の天井漏水回収具のコンパクトな収納が困難である。
（３）これまでの天井漏水回収具では、漏水を貯蔵する機能がないため、バケツ等の容器や排水路等に漏水を排除する必要がある。
（４）これまでの天井漏水回収具は、外付けの排水部材を必要とするため排水が不安定であるばかりでなく、地下鉄駅構内等の公共施設の美観を損ねる。
【０００７】
したがって、本考案は、移動・設置・収納が容易であり、かつ公共施設の美観を損ねることのない天井漏水回収具を提供することを課題とする。
【課題を解決するための手段】
【０００８】
本考案の上記課題を解決するための手段は、次のとおりである。
（１）天井からの漏水を受けるロート状の漏水受部と、漏水受部を保持し、漏水を漏水受部から基部に導く中空の中間部と、中間部を支持するとともに該漏水を受ける基部とを備えた天井漏水回収具。
（２）上記ロート状の漏水受部は、開閉自在であることを特徴とする（１）に記載の天井漏水回収具。
（３）上記ロート状の漏水受部には、天井に当接する突っ張り部が設けられていることを特徴とする（１）又は（２）に記載の天井漏水回収具。
（４）上記中間部は、伸縮自在であることを特徴とする（１）ないし（３）のいずれかに記載の天井漏水回収具。
（５）上記中間部は、基部に接続する第１の中空管と、上記ロート状の漏水受部に接続し第１の中空管に収納される第２の中空管から構成され伸縮自在となっていることを特徴とする（１）ないし（３）のいずれかに記載の天井漏水回収具。
（６）上記中間部には、上記第１の中空管と上記第２の中空管とを所望の位置で固定する繋止機構が設けられていることを特徴とする（５）に記載の天井漏水回収具。
（７）上記第２の中空管は、ロート状の漏水受部内まで延在し、上記突っ張り部を支持するとともに、その延在部には漏水を第２の中空管内に導く孔を有することを特徴とする（５）又は（６）に記載の天井漏水回収具。
（８）上記基部には、天井漏水を貯蔵するタンクが設けられていることを特徴とする（１）ないし（７）のいずれかに記載の天井漏水回収具。
（９）上記基部には、天井漏水を基部外に排出する排水口が設けられていることを特徴とする（１）ないし（７）のいずれかに記載の天井漏水回収具。
（１０）天井からの漏水を受けるとともに開閉自在なロート状の漏水受部と、漏水受部を保持し、漏水を漏水受部から基部に導く中空の中間部と、中間部を支持するとともに漏水を貯蔵する基部とを備えた天井漏水回収具であって、ロート状の漏水受部及び中間部は、不使用時には、基部内に収納可能である。
（１１）ロート状の漏水受部と、漏水受部を保持し、漏水を漏水受部から基部に導く中空の中間部と、中間部を支持するとともに漏水を貯蔵する基部とを備えた天井漏水回収具であって、ロート状の漏水受部及び中間部の周囲にカバーを巻き付けることによりサインポールとしても活用することができる。
【考案の効果】
【０００９】
本考案に係る天井漏水回収具によれば、次のような効果が得られる。
（１）天井漏水回収具の移動・設置・収納が容易である。
（２）公共施設の美観を損ねることがない。
（３）天井漏水回収具からの水漏れがないため、公共施設での汚水の飛散がない。
（４）突っ張り部を有するため安定かつ確実に設置することができる。
（５）ロート状の漏水受部の集水かさに装飾を施すことにより、公共施設での情報発信が可能となる。
（６）ロート状の漏水受部は、開閉自在であるため、天井漏水回収具の不使用時には、基部内に収納可能である。
（７）ロート状の漏水受部及び中間部の周囲にカバーを巻き付けることによりサインポールとしても活用することができるため、グラフィックや情報発信が可能となる。
【図面の簡単な説明】
【００１０】
【図１】本考案に係る天井漏水回収具の模式図である。
【図２】本考案に係る天井漏水回収具の漏水受部の一例を示す図面である。
【図３】本考案に係る天井漏水回収具の漏水受部における集水かさの開閉機構を説明する図面である。
【図４】本考案に係る天井漏水回収具の中間部における伸縮機構を例示する図面である。
【図５】本考案に係る天井漏水回収具の基部の構造を例示する図面である。
【図６】本考案に係る天井漏水回収具の使用方法を例示する図面である。
【図７】本考案に係る天井漏水回収具の変形例を示す図面である。
【図８】本考案に係る天井漏水回収具の収納例を示す図面である。
【図９】本考案に係る天井漏水回収具の応用例を示す図面である。
【考案を実施するための形態】
【００１１】
（天井漏水回収具の基本構成）
図１に本考案に係る天井漏水回収具の模式図を示す。
本考案に係る天井漏水回収具の基本構成は、天井からの漏水を受けるロート状の漏水受部１と、漏水受部を保持し、漏水を漏水受部から基部に導く中空の中間部２と、中間部を支持するとともに漏水を受ける基部３とからなる。
【００１２】
ロート状の漏水受部は、漏水部分を取り囲むように配置される。本考案に係る天井漏水回収具は、天井から少し離れた高さで自立させてもよいし、図１に示すようにロート状の漏水受部の突っ張り部４を設けて、床と天井の間で固定してもよい。
以下、天井漏水回収具の実施形態について詳細に説明する。
【００１３】
（ロート状の漏水受部）
図２は、天井からの漏水を受けるロート状の漏水受部１の一例を示す図面である。
ロート状の漏水受部は、漏水部分を覆うように集水かさを配置し、突っ張り部４により、天井と床との間に固定されている。天井に接する突っ張り部４は、滑りにくい素材、形状を有しており、天井漏水回収具は、突っ張り部４が天井を突っ張ることで固定される。
【００１４】
漏水は、集水かさで集水され、集水かさの内側を伝い、突っ張り部４に連なる中空管に設けた孔を通って中空の中間部２へ送られる。
ロート状の漏水受部の集水かさは、必ずしも開閉自在である必要はないが、不使用時に収納を予定している場合には開閉自在であるのが好ましい。
【００１５】
図３は、漏水受部における集水かさの開閉機構を説明するものである。
図３（ａ）は、留め具を上方に押し上げて、集水かさを開いた状態を示すものであり、留め具は、ロックによりラッチされる。
図３（ｂ）は、ロックによるラッチを外し、留め具を下方に引き下げて、集水かさを閉じた状態を示すものである。
この天井漏水回収具は、非使用時には閉じてコンパクトに収納することができる。
【００１６】
（天井漏水回収具の中間部）
図４は、天井漏水回収具の中間部並びに中間部における伸縮機構の一例を示す。中間部は、ロート状の漏水受部の高さ調節のために、伸縮自在である必要がある。
突っ張り部４を利用する場合には、中間部の伸縮により、天井と床との間で天井漏水回収具を固定することができる。
【００１７】
中間部は、基部に接続する第１の中空管５と、ロート状の漏水受部に接続し第１の中空管に収納される第２の中空管６から構成され、伸縮自在となっている。
集水した漏水は、第１及び第２の中空管中を落下して基部に至る。
【００１８】
さらに中間部には、第１の中空管５と第２の中空管６とを所望の位置で固定する繋止機構７が設けられている。
図４（ａ）は、回転締め付け具で固定するネジ式の繋止機構を例示している。また、図４（ｂ）は、レバーで固定するレバー式の繋止機構を例示している。
【００１９】
（天井漏水回収具の基部）
天井漏水回収具の基部は、中間部を支持するとともに漏水を受ける機能を有する。
基部には図５（ａ）に示すように、内部に天井漏水を貯蔵するタンクを収蔵することができる。
また、図５（ｂ）に示すように、タンクの下方に排水口８を設け、排水パイプにより排水溝に排水することもできる。
【００２０】
（天井漏水回収具の使用例）
図６は、本考案に係る天井漏水回収具の使用方法を例示する図面である。
１  地下鉄駅構内で漏水を発見。
２  駅員が、小さく折りたたみ収縮された天井漏水回収具を持参。
３  ロート状の漏水受部を開き、中間部を伸ばして天井と床との間に天井漏水回収具を設置。排水が可能な場所であれば基部の排出口へ排水パイプを取り付けることもできる。
４  設置終了。
【００２１】
（天井漏水回収具の変形例）
天井漏水回収具の変形例を図７に示す。
図７（ａ）に示す天井漏水回収具では、ロート状の漏水受部が円錐構造となっており、基部３は持ち手のついた箱型のタンク構造となっている。
また、図７（ｂ）に示す天井漏水回収具では、ロート状の漏水受部及び基部が共に半球構造となっており、図７（ｃ）に示す天井漏水回収具では、ロート状の漏水受部及び基部が共に角錐構造となっている。
ロート状の漏水受部は必ずしも開閉自在である必要はない。
【００２２】
（天井漏水回収具の収納例）
図８は、本考案に係る天井漏水回収具の収納例を示す図面である。この収納例では、基部の高さを高くして、閉じたロート状の漏水受部及び縮めた中間部を基部の中に収納している。すなわち、基部は非使用時には天井漏水回収具の収納ケースとなる。
このため、多数の天井漏水回収具を倉庫等の収納場所に、効率よく保管することができる。
【００２３】
（天井漏水回収具の応用例）
図９は、本考案に係る天井漏水回収具の応用例を示す図面である。この応用例では、ロート状の漏水受部及び中間部の周囲にカバーを巻き付けることにより、天井漏水回収具として使用するとともに、サインポールとしても利用することができる。
このため、天井漏水回収具を収納する手間が省けるとともに、グラフィックや情報発信が可能となる。
なお、グラフィックや情報発信のため、ロート状の漏水受部及び中間部の周囲にカバーを巻き付けることなく、天井漏水回収具に表示板等を単に取り付けることもできる。
【００２４】
以上、本考案に係る天井漏水回収具について好適な実施形態を例示して、その構造を説明したが、これらの実施形態は本考案の技術的範囲を限定するものではなく、実用新案登録請求の範囲に記載された本考案の要旨を逸脱しない範囲内で各種の変更や修正を加えることができることは言うまでもないことである。
【符号の説明】
【００２５】
１  ロート状の漏水受部
２  中間部
３  基部
４  突っ張り部
５  第１の中空管
６  第２の中空管
７  繋止機構
８  排水口
【図１】
0003205243.tif 000003
【図２】
0003205243.tif 000004
【図３】
0003205243.tif 000005
【図４】
0003205243.tif 000006
【図５】
0003205243.tif 000007
【図６】
0003205243.tif 000008
【図７】
0003205243.tif 000009
【図８】
0003205243.tif 000010
【図９】
0003205243.tif 000011